(57)【要約】【課題】  街路灯などの支柱を地盤に据え付ける際、支柱を垂直に向けるための調整作業が容易に実施でき、しかも作業時間の短縮も可能な支柱保持具を提供すること。【解決手段】  支柱Ｐと土留め管Ｄとの間に介在して、支柱Ｐを取り囲むリング１２と、リング１２を支柱Ｐに固定する締結具２１と、リング１２から土留め管Ｄに向けて延びる伸縮自在な脚軸３１と、で構成される支柱保持具１１を用いることで、リング１２の中に支柱Ｐを取り込んだ後、これを土留め管Ｄの中に落とし込み、次に締結具２１（係止ボルト２２と係止ナット２３）を用いてリング１２を支柱Ｐに固定した後、脚軸３１の外縁部を土留め管Ｄに押し付けた上、脚軸３１の長さを個別に調整することで、支柱Ｐの傾きを除去できる。【選択図】      図１
2009068235.tif 000002
【特許請求の範囲】
【請求項１】
地盤に打ち込まれた土留め管（Ｄ）内周の空洞部（Ｈ）に支柱（Ｐ）を差し込んだ後、該支柱（Ｐ）を据え付けるため空洞部（Ｈ）に生コンクリートを流し込む際、支柱（Ｐ）を不動状態で固定するための支柱保持具であり、
支柱（Ｐ）の側周面に巻き付けるリング（１２）と、
前記リング（１２）を支柱（Ｐ）に固定するための締結具（２１）と、
前記リング（１２）の外周面から土留め管（Ｄ）に向けて半径方向に突出している脚軸（３１）と、
から構成され、
前記リング（１２）は、その内部に支柱（Ｐ）を取り込むため少なくとも一箇所の割り溝（１７）を有しており、
脚軸（３１）は、一組のリング（１２）に付き最低三個は装備され、且つ半径方向に対する突出長さが個別に調整可能であることを特徴とする支柱保持具。
【請求項２】
前記脚軸（３１）は、リング（１２）の外周面に接合され半径方向に突出する雄ネジ軸（３２）と、該雄ネジ軸（３２）に対して進退可能に螺合する長ナット（３３）と、で構成されていることを特徴とする請求項１記載の支柱保持具。
【発明の詳細な説明】
【技術分野】
【０００１】
本発明は、街路灯や道路標識などの支柱を据え付ける際に使用する、支柱保持具に関する。
【背景技術】
【０００２】
路面などを照らす街路灯は、夜間の安全性を確保する上で極めて重要であり、できるだけ広い範囲に光が届くよう、通常は高所に設置される。この街路灯は、電信柱や建物を利用して設置される場合もあるが、専用の支柱を建てて設置されることも多い。また道路標識や看板類を設置する際も、同様に専用の支柱を建てる場合がある。
【０００３】
支柱の直径や材質などは用途に応じて様々だが、街路灯や小規模な道路標識では、直径２０ｃｍ程度の鋼管を使用する場合が多い。このような鋼管を用いた支柱は、通常、図６のような方法で地盤に据え付けられる。この図のように、まずオーガなどの建設機械を用いて、所定の位置に直径５０ｃｍ程度の空洞部を掘削してから、その側面の崩壊を防止するため土留め管（通常は円断面のスパイラルダクトを使用）を打ち込む。また空洞部の底に置かれているアンカーは、コンクリートをドーナツ状に成形したもので、支柱の根元を固定する機能がある。施工の際は、まず地上でアンカーの中央に支柱の根元を差し込み、次にアンカーと支柱とを貫通する連結ボルトを取り付けて双方を一体化した後、クレーンなどを使用してアンカーを空洞部の底に置く。なお空洞部にアンカーを埋め込むため、支柱と土留め管との間は、必然的に大きく離れることになる。
【０００４】
アンカーを空洞部の底に置いただけの段階では、支柱は安定しておらず、傾いた状態になりやすい。しかし支柱は垂直に建てる必要があるため、土留め管と支柱との間に棒材やクサビを挟み込み、棒材の長さやクサビの出入り具合を調整して、支柱の傾きを除去する作業を行う。なお棒材やクサビは、力学上の観点や作業性から、できるだけ地表面近くで挟み込むことが好ましく、しかも全周のどこから見ても垂直を維持できるよう、最低三組は使用する必要がある。
【０００５】
支柱が完全に垂直になった段階で、空洞部に生コンクリートを注入する。ただし、全量を一度に注入するのではなく、棒材やクサビが埋める前に一旦注入を止めて、コンクリートが凝固するのを待つ。凝固が終わると支柱はコンクリートによって固定されるため、棒材やクサビは不要になり撤去する。その後、再度コンクリートを注入して空洞部を完全に埋めると据え付けが完成する。なお本図は街路灯を想定しているため、支柱の先端にライトを装備しているが、道路標識や看板についても、同様の方法で設置される場合がある。
【発明の開示】
【発明が解決しようとする課題】
【０００６】
図６のような方法で街路灯などを設置する場合、現状では支柱の傾きを完全に除去するため、棒材やクサビなどを用いて調整作業を行っている。この作業は、個々のクサビの打ち込み量をバランスよく加減する必要があり、試行錯誤を何度も繰り返すことが多い。しかもその間にクサビが脱落して、作業を最初からやり直す場合もあるなど、大変な手間が掛かり、時間も浪費する。
【０００７】
また前記のように、一回目の生コンクリート注入の後、その凝固を待って二回目の注入を行う必要があるため、作業が完了するまでの時間が必然的に長くなる。なおクサビを極力深い場所に設置して、コンクリート中に埋め込んでしまうならば、注入作業は一度だけで完了する。しかしこの場合、クサビの調整作業が困難になることや、注入時の圧力で棒材が脱落する恐れがあるなどの問題があり、現実には実施が難しい。そのほか、ポールなどを設置する方法の例として下記特許文献が挙げられる。いずれも本願よりも直径の大きい支柱を想定しており、類似点は少ない。
【特許文献１】特開２００７−０６３７８１号公報
【特許文献２】特開２００４−２７９７２２号公報
【特許文献３】特開平０７−１９７４２６号公報
【０００８】
本発明はこうした実情を基に開発されたもので、街路灯などの支柱を地盤に据え付ける際、支柱を垂直に向けるための調整作業が容易に実施でき、しかも作業時間の短縮も可能な支柱保持具の提供を目的としている。
【課題を解決するための手段】
【０００９】
前記の課題を解決するための請求項１記載の発明は、地盤に打ち込まれた土留め管内周の空洞部に支柱を差し込んだ後、該支柱を据え付けるため空洞部に生コンクリートを流し込む際、支柱を不動状態で固定するための支柱保持具であり、支柱の側周面に巻き付けるリングと、前記リングを支柱に固定するための締結具と、前記リングの外周面から土留め管に向けて半径方向に突出している脚軸と、から構成され、前記リングは、その内部に支柱を取り込むため少なくとも一箇所の割り溝を有しており、脚軸は、一組のリングに付き最低三個は装備され、且つ半径方向に対する突出長さが個別に調整可能であることを特徴とする。
【００１０】
本発明は、図６のような方法で街路灯などの支柱を据え付ける際、棒材やクサビの代替として使用されるもので、支柱の傾きを簡単な作業で素早く除去でき、しかも生コンクリートの注入作業を一度で終えることができる。なお土留め管を打ち込んで空洞部を形成する点や、支柱の根元にアンカーを使用する点などは従来と全く同様である。また支柱は、一切の追加工などが不要で、そのままの状態で使用できる。
【００１１】
リングは、支柱の側周面に接触して支柱を拘束する機能を有するが、単純な環状ではなく、環が分断されている割り溝を一ヵ所以上備えている必要がある。この割り溝があることで、リングの中に支柱を取り込む際、支柱の端部からリングを差し込む必要がなく、割り溝を大きく開いて支柱を通過させるだけで良い。なおリングの中に支柱を取り込んだ際は、リングの内周面と支柱の側周面とが面接触することになるが、必ずしも双方を直に接触させる必要はなく、寸法の調整などを目的として何らかの緩衝材（例えばゴム板）を挟み込んでも良い。
【００１２】
リングの具体的な例としては、汎用の配管サポート金具のように、二つの円弧状の棒材をヒンジで一体化して、ヒンジの反対側が割り溝になるものや、鋼板などを半円形に曲げたものを対向するように配置して、これらをボルトで一体化するものなどが挙げられる。なおリングは、支柱を確実に保持できるならば、形状は自在である。
【００１３】
締結具は、リングの割り溝を跨ぐように配置され、割り溝の間隔を狭める機能を有する。リングの中に支柱が取り込まれている状態で締結具を使用することで、その内径が小さくなり、リングと支柱が強力に面接触して、双方が一体化する。そのためリングを移動させることで、支柱の傾きが調整できるようになる。なお締結具は、割り溝を完全に閉じる必要はなく、リングを支柱に一体化できるならば、隙間が残っても構わない。締結具の具体例としては、単純なボルトとナットの組み合わせのほか、万力や針金なども使用できる。
【００１４】
脚軸は、リングの外周面から土留め管に向けて突出する棒状のもので、水平面から見て支柱の半径方向に延在しており、その外縁部を土留め管に接触させて、リングの位置を固定する機能を有する。しかも脚軸は、その長さを一定の範囲で伸縮可能な機構を備えており、例えば脚軸の長さを増大させることで、リングを土留め管から遠ざけることができる。なお脚軸の長さ調整は、人為的な操作によってのみ実現するもので、外力が作用した場合でも、その長さが変化してはならない。長さの調整機構の具体例については、ネジを利用するもの、摩擦を利用するもの、爪などの噛み合いを利用するものなど、自在に選択できる。
【００１５】
リングを土留め管の中で安定して固定するには、一個のリングに対して最低でも三本の脚軸が必要であり、さらにバランスを考慮して均等な角度を隔てて配置することが好ましい。なお脚軸に過大な荷重が作用して、土留め管などを変形させる恐れがある場合、脚軸の本数を増やして荷重を分散させても良い。このように本発明では、少なくとも三本の脚軸が装備され、しかも個々に長さの調整ができるため、リングを水平面上で自在に移動可能であり、支柱の傾きを完全に除去できる。なお脚軸は、リングと一体化されているため脱落の恐れがなく、その長さの調整作業は極めて容易である。
【００１６】
請求項２記載の発明は脚軸の構成を限定するもので、脚軸は、リングの外周面に接合され半径方向に突出する雄ネジ軸と、該雄ネジ軸に対して進退可能に螺合する長ナットと、で構成されていることを特徴とする。雄ネジ軸は、汎用の頭付ボルトまたはスタッドボルトを用いたもので、そのネジ部を支柱の半径方向に並べた上、一端面をリングの外周面に接合する。なお六角ボルトなどの頭付ボルトを使用する場合、当然ながら頭の方をリングに接合する。また長ナットは、呼び径に対して全長がはるかに大きいものを指す。そして雄ネジ軸が長ナットを貫通しない程度に双方を螺合させると、長ナットの一端面が脚軸の外縁部になる。したがって雄ネジ軸と長ナットとの螺合長さを変えることで、脚軸の長さが調整できることになる。
【発明の効果】
【００１７】
請求項１記載の発明による支柱保持具によって、支柱の据え付け作業を行う際、空洞部の中でリングを支柱に固定した後、脚軸の長さを個別に調整して、支柱を垂直に向けることができる。そのため本発明では、従来のようにクサビの打ち込み量を何度も調整するといった労力を要する作業が不要になり、作業時間も大幅に短縮できる。また従来は、棒材やクサビが落下しないよう注意を払いながら作業を行う必要があったが、本発明では脚軸がリングによって支持されており、作業の際は脚軸の長さ調整に集中できる。しかも本発明品は背が低いため、コンクリート中に埋め込んでも何ら問題がなく、従来のように生コンクリートの注入作業を二回に分割する必要がなく、竣工までの時間が大幅に短縮できる。なお本発明は、街路灯の据え付けに以外にも、同様な方法で据え付けられる標識や看板などにも適用できる。
【００１８】
請求項２記載の発明のように、脚軸として雄ネジ軸と長ナットを用いることで、長ナットを回転させることで容易に脚軸の長さが調整できる上、外力を受けてもその長さは変わらず、取り扱いに優れ信頼性も高い。また長ナットは、ボルトなどに比べてスパナなどの工具を掛けやすいため、空間に余裕のない空洞部でも作業がしやすい。さらに本発明では、長ナットの端面が土留め管と接触するため、単なる丸棒などに比べて接触面積が大きくなり、土留め管の変形を抑制できる。
【発明を実施するための最良の形態】
【００１９】
図１は、本発明による支柱保持具１１の形状例を示している。街路灯などの支柱Ｐを据え付ける際は、まずオーガなどの建設機械を用いて所定の位置の地盤を掘削した後、この壁面の崩壊を防止するため、薄肉の鋼管を用いた土留め管Ｄを打ち込んでいる。以下、土留め管Ｄの内周を空洞部Ｈと呼ぶ。図のように支柱Ｐと土留め管Ｄとの間は大きく離れており、この間に支柱保持具１１を介在させることで、支柱Ｐを安定した状態で据え置くことができる。支柱保持具１１は、大別してリング１２と締結具２１と脚軸３１とで構成されており、そのうちリング１２は支柱Ｐを取り巻く環状で、鋼板を半円状に変形させた二個の帯板１４を支点ピン１３で一体化したもので、この支点ピン１３の反対側には、環が途切れている割り溝１７がある。この割り溝１７には、それぞれの帯板１４の端部を半径方向に延ばした平面板１５が形成されており、その中心にはそれぞれ係止孔１６が加工されている。各帯板１４は、支点ピン１３を中心として自在に回転可能であるため、支柱Ｐの取り込みは極めて容易である。なお支点ピン１３は、帯板１４から脱落しない構造になっている。
【００２０】
締結具２１は、係止ボルト２２と係止ナット２３とで構成されており、二個の係止孔１６を貫通するように係止ボルト２２を差し込んだ後、その先端に係止ナット２３を螺合して締め上げると、両平面板１５が引き寄せられて割り溝１７の間隔が狭まり、リング１２の内径が縮小する。その結果、リング１２の内周面が支柱Ｐの側周面に押圧されて、リング１２が固定される。当然ながら、リング１２が確実に支柱Ｐを押圧できるよう、支柱Ｐの直径に応じてリング１２の形状を決める必要がある。
【００２１】
脚軸３１は、長ナット３３のほか、スタッドボルトを用いた雄ネジ軸３２で構成されており、そのうち雄ネジ軸３２の一端面は、リング１２（帯板１４）の外周面に溶接で取り付けされている。なお雄ネジ軸３２は、支柱Ｐとの接触を防止するため、リング１２の内側には達していない。また長ナット３３は、その長さの半分程度だけ雄ネジ軸３２と螺合させると、長ナット３３の端面が脚軸３１の外縁部となる。したがって双方の螺合長さを変えることで、脚軸３１の全長が調整できることになる。当然ながら、雄ネジ軸３２や長ナット３３は、支柱Ｐと土留め管Ｄの直径を基に、その長さを決める必要がある。
【００２２】
図２は、図１に示す支柱保持具１１の投象図で、図２（Ａ）は平面から見たもので、図２（Ｂ）は側面から見たものである。図２（Ａ）のように、計六組の脚軸３１は等間隔で配置されており、しかも長ナット３３は個別に操作可能である。そのため、支柱保持具１１全体を特定の方向に移動させたい場合、関連する長ナット３３を回転させて螺合長さを調整する。また図２（Ｂ）のように、雄ネジ軸３２の取り付け高さは、帯板１４の中央に揃えている。
【００２３】
図３は、図１に示す支柱保持具１１の内部に支柱Ｐを取り込む際の様子を示す平面図である。リング１２を構成する二個の帯板１４は、支点ピン１３を中心として回転可能に一体化されているため、双方の平面板１５が対向する割り溝１７の間隔は、自在に変化できる。そのため図のように割り溝１７を大きく開くと、支柱Ｐを内部に取り入れる作業は極めて容易であり、その後に締結具２１を取り付けることで、リング１２は支柱Ｐと一体化する。
【００２４】
図４は、本発明の様々な形態例を示しており、図４（Ａ）はリング１２を二分割できる構造としたもので、図４（Ｂ）は、脚軸３１と土留め管Ｄとの間に当て板２４を挟み込んだ形態である。本発明では、リング１２の内部に支柱Ｐを取り込むため、リング１２に何らかの割り溝１７を設ける必要があるが、その形態については自在である。そこで図４（Ａ）のように、リング１２を二つの半円板１８で構成して、その分割箇所を割り溝１７とすることもできる。半円板１８は鋼板を半円形に曲げたもので、その両端部には、係止孔１６を有する平面板１５が形成されている。使用の際は、支柱Ｐを中心として半円板１８を対向するように配置した後、係止孔１６を貫通する係止ボルト２２を両側に差し込み、これに係止ナット２３を螺合して締め上げると、二個の半円板１８が支柱Ｐを取り込んだ状態で固定される。
【００２５】
そのほか図４（Ａ）では、脚軸３１の構成が図１と逆になっており、リング１２の外周面に長ナット３３が接合されており、その先に六角ボルト３４が螺合している。そのため脚軸３１の長さを調整する際は、六角ボルト３４に工具を掛けて回転させることになる。さらに本図では、リング１２の内周面と支柱Ｐとの間に緩衝材１９を介在させている。これは、リング１２の内径と支柱Ｐの外径との兼ね合いで、そのままでは双方を円滑に密着できない場合、その隙間を埋めるために使用される。
【００２６】
図４（Ｂ）の支柱保持具１１は図１と同一だが、長ナット３３と土留め管Ｄとの間に当て板２４を挟み込んでいる。これは、支柱Ｐの自重が比較的大きい場合、長ナット３３と土留め管Ｄとの接触面に過大な圧力が作用して、土留め管Ｄが変形することを防ぐために使用される。当て板２４は、土留め管Ｄの直径に合わせて湾曲しており、土留め管Ｄの内周面と円滑に接触できる上、長ナット３３を受け入れるための溝２５が形成されており、この中にワッシャなどを挟み込むことで、長ナット３３の回転を円滑に受け止めることができる。
【００２７】
図５は、図１に示す支柱保持具１１の使用状態を示しており、図５（Ａ）は平面図で、図５（Ｂ）は断面図である。アンカーＡは土留め管Ｄよりも一回りだけ小さい。そのためアンカーＡを土留め管Ｄの底に置いた場合、支柱Ｐも土留め管Ｄのほぼ中央に位置している。しかしアンカーＡだけでは支柱Ｐを垂直に向けることができない。そこで支柱保持具１１を用いて個々の脚軸３１の長さを調整して支柱Ｐの傾きを除去する。なお本発明による支柱支持具１１は、脚軸３１の長さ調整が容易であり、必ずしも地表面近くで使用する必要はなく、ある程度深い位置で使用できる。そのため生コンクリートを地表面に達するまで一気に注入して、支柱保持具１１を中に埋め込んでも何ら問題がない。
【図面の簡単な説明】
【００２８】
【図１】本発明による支柱保持具の形状例を示す斜視図である。
【図２】図１に示す支柱保持具の投象図で、（Ａ）は平面から見たもので、（Ｂ）は側面から見たものである。
【図３】図１に示す支柱保持具の内部に支柱を取り込む際の様子を示す平面図である。
【図４】本発明の様々な形態例を示す斜視図であり、（Ａ）はリングを二分割できる構造としたもので、（Ｂ）は、脚軸と土留め管との間に当て板を挟み込んだ形態である。
【図５】図１に示す支柱保持具の使用状態を示しており、（Ａ）は平面図で、（Ｂ）は断面図である。
【図６】街路灯などの支柱を地盤に据え付ける際、従来の作業方法を示す断面図である。
【符号の説明】
【００２９】
１１  支柱保持具
１２  リング
１３  支点ピン
１４  帯板
１５  平面板
１６  係止孔
１７  割り溝
１８  半円板
１９  緩衝材
２１  締結具
２２  係止ボルト
２３  係止ナット
２４  当て板
２５  溝
３１  脚軸
３２  雄ネジ軸
３３  長ナット
３４  六角ボルト
Ａ    アンカー
Ｂ    連結ボルト
Ｄ    土留め管
Ｈ    空洞部
Ｐ    支柱
【図１】
2009068235.tif 000003
【図２】
2009068235.tif 000004
【図３】
2009068235.tif 000005
【図４】
2009068235.tif 000006
【図５】
2009068235.tif 000007
【図６】
2009068235.tif 000008